(57)【要約】【課題】実装後の検査を容易する半導体装置およびその製造方法を提供する。【解決手段】半導体装置は、半導体チップと、前記半導体チップの周りに配置された複数の接続端子と、前記半導体チップと前記複数の接続端子とを電気的に接続した複数の配線を含むベース部材と、前記ベース部材上に配置された前記半導体チップと前記複数の接続端子との間に充填された樹脂部材と、を備える。前記樹脂部材は、前記半導体チップの前記ベース部材に接する面につながった第１面と、前記第１面の反対側に位置する第２面と、前記第１面および前記第２面につながった側面と、を有する。前記複数の接続端子は、前記樹脂部材中に位置し、前記第１面もしくは前記第２面に露出された第１コンタクト面と、前記第１コンタクト面につながり、前記側面に露出された第２コンタクト面と、を含む。【選択図】図１
2020043236.tif 000002
【特許請求の範囲】
【請求項１】
半導体チップと、
前記半導体チップの周りに配置された複数の接続端子と、
前記半導体チップと前記複数の接続端子とを電気的に接続した複数の配線を含むベース部材と、
前記ベース部材上に配置された前記半導体チップと前記複数の接続端子との間に充填された樹脂部材であって、前記半導体チップの前記ベース部材に接する面につながった第１面と、前記第１面の反対側に位置する第２面と、前記第１面および前記第２面につながった側面と、を有する樹脂部材と、
を備え、
前記複数の接続端子は、前記樹脂部材中に位置し、前記第１面もしくは前記第２面に露出された第１コンタクト面と、前記第１コンタクト面につながり、前記側面に露出された第２コンタクト面と、を含む半導体装置。
【請求項２】
前記複数の接続端子は、それぞれ前記樹脂部材中に位置する心材と、前記心材上に設けられ、前記心材とは異なる材料の金属層と、を含み、
前記第１コンタクト面および前記第２コンタクト面は、前記金属層の表面である請求項１記載の半導体装置。
【請求項３】
前記複数の接続端子は、それぞれ前記第１コンタクト面と前記第２コンタクト面とが交差する角に位置する切り欠き部を有する請求項１または２に記載の半導体装置。
【請求項４】
前記半導体チップは、前記ベース部材に接する面とは反対側に位置し、前記樹脂部材から露出された表面を有する請求項１〜３のいずれか１つに記載の半導体装置。
【請求項５】
前記複数の接続端子は、前記樹脂部材の前記第１面から前記第２面に向かう方向における前記ベース部材の厚さよりも厚い前記方向の厚さを有する請求項１〜４のいずれか１つに記載の半導体装置。
【請求項６】
第１基材上に、複数の開口を有する枠部と、前記枠部から前記複数の開口のそれぞれの内側に突出した複数の端子と、を有するフレームを配置し、
前記複数の開口内に位置するように、前記第１基材上に複数の半導体チップを配置し、
前記フレームおよび前記複数の半導体チップを覆う樹脂部材を形成し、
前記樹脂部材の前記第１基材に接する第１表面とは反対側の第２表面上に第２基材を貼り付けた後、前記第１基材を剥離し、前記第１表面に前記フレームおよび前記複数の半導体チップを露出させ、
前記複数の半導体チップと前記複数の端子部とをそれぞれつなぐ複数の配線を形成し、
前記複数の端子部を前記樹脂部材中に残して前記枠部を除去し、前記樹脂部材を複数のパッケージに分割する半導体装置の製造方法。
【請求項７】
前記第１基材の表面に沿った方向における前記枠部の幅よりも厚いブレードを用いて、前記樹脂部材内に前記複数の端子が残るように前記フレームをハーフカットした後、前記樹脂部材の表面に露出された前記フレームの表面上に金属層を選択的に形成する請求項６記載の半導体装置の製造方法。
【請求項８】
前記枠部の前記幅よりも厚いブレードを用いて、前記樹脂部材内に前記複数の端子が残るように前記フレームをカットし、
前記樹脂部材中に残された前記複数の端子の露出面上に金属層を選択的に形成し、
前記第２表面側から前記樹脂部材を薄膜化することにより、前記樹脂部材を前記複数のパッケージに分割する請求項６記載の半導体装置の製造方法。
【発明の詳細な説明】
【技術分野】
【０００１】
実施形態は、半導体装置およびその製造方法に関する。
【背景技術】
【０００２】
ＩｏＴ（Internet of Things）やモバイル機器になどに用いられる半導体装置は、半導体チップと同等のサイズまで小型化されようとしている。これらの半導体装置は、例えば、ＢＧＡ（Ball grid array）やＬＧＡ（Land grid array）など形態で回路基板上に実装されるが、実装後にその接続状態を検査することは難しい。
【先行技術文献】
【特許文献】
【０００３】
【特許文献１】米国特許公報第９１５３４７６号明細書
【特許文献２】米国特許公報第９６０７９１８号明細書
【特許文献３】特開２０１０−７３８９３号公報
【発明の概要】
【発明が解決しようとする課題】
【０００４】
実施形態は、実装後の検査を容易する半導体装置およびその製造方法を提供する。
【課題を解決するための手段】
【０００５】
実施形態に係る半導体装置は、半導体チップと、前記半導体チップの周りに配置された複数の接続端子と、前記半導体チップと前記複数の接続端子とを電気的に接続した複数の配線を含むベース部材と、前記ベース部材上に配置された前記半導体チップと前記複数の接続端子との間に充填された樹脂部材と、を備える。前記樹脂部材は、前記半導体チップの前記ベース部材に接する面につながった第１面と、前記第１面の反対側に位置する第２面と、前記第１面および前記第２面につながった側面と、を有する。前記複数の接続端子は、前記樹脂部材中に位置し、前記第１面もしくは前記第２面に露出された第１コンタクト面と、前記第１コンタクト面につながり、前記側面に露出された第２コンタクト面と、を含む。
【図面の簡単な説明】
【０００６】
【図１】第１実施形態に係る半導体装置を示す模式図である。
【図２】第１実施形態に係る半導体装置の実装方法を示す模式断面図である。
【図３】第１実施形態に係る半導体装置の製造過程を示す模式図である。
【図４】図２に続く製造過程を示す模式図である。
【図５】図３に続く製造過程を示す模式図である。
【図６】図４に続く製造過程を示す模式図である。
【図７】図５に続く製造過程を示す模式図である。
【図８】図６に続く製造過程を示す模式図である。
【図９】第１実施形態の変形例に係る半導体装置を示す模式断面図である。
【図１０】第１実施形態の変形例に係る半導体装置の製造過程を示す模式断面図である。
【図１１】第２実施形態に係る半導体装置を示す模式断面図である。
【図１２】第２実施形態に係る半導体装置の製造過程を示す模式断面図である。
【図１３】図１２に続く製造過程を示す模式図である。
【図１４】第２実施形態に係る半導体装置の別の製造過程を示す模式断面図である。
【図１５】図１４に続く製造過程を示す模式図である。
【図１６】実施形態の変形例に係る半導体装置を示す模式断面図である。
【図１７】実施形態の変形例に係る半導体装置の実装方法を示す模式断面図である。
【発明を実施するための形態】
【０００７】
以下、実施の形態について図面を参照しながら説明する。図面中の同一部分には、同一番号を付してその詳しい説明は適宜省略し、異なる部分について説明する。なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【０００８】
さらに、各図中に示すＸ軸、Ｙ軸およびＺ軸を用いて各部分の配置および構成を説明する。Ｘ軸、Ｙ軸、Ｚ軸は、相互に直交し、それぞれＸ方向、Ｙ方向、Ｚ方向を表す。また、Ｚ方向を上方、その反対方向を下方として説明する場合がある。
【０００９】
（第１実施形態）
図１（ａ）および（ｂ）は、第１実施形態に係る半導体装置１を示す模式図である。図１（ａ）は、図１（ｂ）中に示すＡ−Ａ線に沿った断面を表す模式断面図である。図１（ｂ）は、半導体装置１の下面を表す模式図である。
【００１０】
半導体装置１は、所謂ＱＦＮ（Quad Flatpack No-leaded）の形態を有する。半導体装置１は、半導体チップ１０と、複数の接続端子２０と、ベース部材３０と、樹脂部材４０と、を備える。
【００１１】
図１（ａ）に示すように、半導体チップ１０および接続端子２０は、例えば、ベース部材３０の下面上に配置される。半導体チップ１０は、図示しないトランジスタ等を含む表面１０ａをベース部材３０に向けて配置される。
【００１２】
ベース部材３０は、例えば、プレート状に設けられ、配線３３と絶縁体３５とを含む。配線３３は、半導体チップ１０と接続端子２０とを電気的に接続する。配線３３は、例えば、金属ワイヤよりも低抵抗および高熱伝導率を有するように形成できる。
【００１３】
図１（ｂ）に示すように、接続端子２０は、半導体チップ１０の周りに配置される。樹脂部材４０は、例えば、半導体チップ１０と接続端子２０との間の空間を充填するように設けられる。接続端子２０は、樹脂部材４０の外縁に沿って、半導体チップ１０を囲むように配置される。樹脂部材４０は、接続端子２０間のスペースを充填する部分を含む。
【００１４】
樹脂部材４０は、第１面４０ａと、第２面４０ｂと、側面４０ｃとを有する。第１面４０ａは、半導体チップ１０のベース部材３０に接する表面１０ａにつながり、第２面４０ｂは、第１面の反対側に位置する。側面４０ｃは、樹脂部材４０の外縁において第１面４０ａおよび第２面４０ｂにつながる。
【００１５】
接続端子２０のＺ方向の厚さは、例えば、ベース部材３０のＺ方向の厚さよりも厚い。接続端子２０は、樹脂部材４０の内部に位置し、樹脂部材４０の表面に露出された第１コンタクト面２０ａおよび第２コンタクト面２０ｂを有する。この例では、第１コンタクト面２０ａは、樹脂部材４０の第２面４０ｂに露出され、第２コンタクト面２０ｂは、側面４０ｃに露出される。また、第２コンタクト面２０ｂは、第１コンタクト面２０ａにつながるように設けられる。
【００１６】
また、接続端子２０は、例えば、樹脂部材４０中に位置する心材２３と、金属層２５と、をそれぞれ含む。金属層２５は、心材２３上に設けられ、心材２３とは異なる材料を含む。この場合、第１コンタクト面２０ａおよび第２コンタクト面２０ｂは、金属層２５の表面である。
【００１７】
金属層２５は、心材２３よりも接続部材、例えば、ハンダ材に対する濡れ性の高い材料を用いて形成される。心材２３は、例えば、銅（Ｃｕ）または銅合金であり、金属層２５は、例えば、ニッケル（Ｎｉ）、コバルト（Ｃｏ）などを含む。なお、心材２３の材料が接続部材に対して高い濡れ性を有する場合には、金属層２５は、省略することができる。
【００１８】
図２（ａ）は、第１実施形態に係る半導体装置１の実装方法を示す模式断面図である。なお、図２（ｂ）は、比較例に係る半導体装置２の実装方法を示す模式断面図である。
【００１９】
図２（ａ）に示すように、半導体装置１は、実装基板２１０上に接続部材２０５を介してマウントされる。半導体装置１は、半導体チップ１０の裏面１０ｂが実装基板に向き合うように配置される。
【００２０】
接続部材２０５は、半導体装置１の接続端子２０と、実装基板２１０の接続パッド２０３と、を接続する。接続部材２０５は、例えば、ハンダ材である。接続端子２０は、例えば、ハンダ材に対して高い濡れ性を有する金属層２５を含む。これにより、接続部材２０５は、接続端子２０の第２コンタクト面２０ｂに沿って這い上がり、所謂フィレット２０５ｆを形成する。
【００２１】
フィレット２０５ｆは、例えば、実装後の半導体装置１の側面を目視することにより、その有無を確認することができる。接続端子２０と接続部材２０５との間のハンダ接続が不良であれば、フィレット２０５ｆは形成されない。したがって、半導体装置１の実装後に、コンタクト面２０ｂにおけるフィレット２０５ｆの有無を検査することにより、ハンダ接続の良否を判定することができる。
【００２２】
図２（ｂ）に示す例では、半導体装置２は、例えば、ハンダボール２１５を介して実装基板２２０にマウントされる。ハンダボール２１５は、半導体装置２のボンディングパッド３９と、実装基板２２０の接続パッド２１３と、を接続する。
【００２３】
このような実装形態（ＢＧＡ）では、ハンダホール２１５は、半導体装置２と実装基板２２０との間に位置する。このため、ハンダボール２１５による接続状態を目視により確認することができず、例えば、透過型Ｘ線装置を用いて検査することになる。このような検査は、高コストであり、目視よりも長い検査時間を要する。また、ボンディングパッド３９が微細化されると、検査精度も低下する。
【００２４】
これに対し、半導体装置１では、例えば、撮像デバイスにより接続端子２０の画像を直接取得することが可能であり、それを解析することによりフィレット２０５ｆの有無を検査することができる。このような検査は、低コストであり、短時間で実施できる。また、その精度も高い。したがって、半導体装置１では、実装後の検査が容易になる。
【００２５】
次に、図３（ａ）〜図８（ｂ）を参照して、第１実施形態に係る半導体装置１の製造方法を説明する。図３（ａ）〜図８（ｂ）は、半導体装置１の製造過程を順に示す模式図である。
【００２６】
図３（ａ）および図３（ｂ）は、支持部材１１０上に配置されたリードフレーム１２０を示す模式図である。図３（ａ）は、図３（ｂ）中に示すＢ−Ｂ線に沿った断面を表す模式図である。
【００２７】
図３（ａ）に示すように、支持部材１１０上に、粘着層１０３を介してモールド枠１０５およびリードフレーム１２０が配置される。支持部材１１０は、例えば、板状のガラスキャリアである。リードフレーム１２０には、電気抵抗が小さく、熱伝導率の高い材料、例えば、銅（Ｃｕ）もしくは銅合金が用いられる。
【００２８】
図３（ｂ）に示すように、リードフレーム１２０は、モールド枠１０５の内部に配置される。リードフレーム１２０は、枠部１２３と、端子１２５と、を含む。枠部１２３は、複数のスペース１２０ｓを囲むように設けられ、端子１２５は、枠部１２３から枠部１２３で囲まれたスペース１２０ｓに延びるように設けられる。
【００２９】
図４（ａ）および図４（ｂ）は、支持部材１１０上に配置された半導体チップ１０を示す模式図である。図４（ａ）は、図４（ｂ）中に示すＣ−Ｃ線に沿った断面を表す模式図である。
【００３０】
図４（ａ）および（ｂ）に示すように、粘着層１０３を介して半導体チップ１０を支持部材１１０の上に配置する。半導体チップ１０は、リードフレーム１２０の枠部１２３で囲まれたスペース１２０ｓにそれぞれ配置される。半導体チップ１０は、例えば、トランジスタ等を含む表面１０ａを粘着層１０３に向けて配置される。また、半導体チップ１０は、端子１２５から離間した位置に配置される。
【００３１】
図５（ａ）〜（ｃ）は、図４（ａ）に示す断面に該当する断面図である。また、図５（ａ）〜（ｃ）中に示すＸ方向、Ｙ方向およびＺ方向は、図１中に示す方向にそれぞれ対応する。
【００３２】
図５（ａ）に示すように、モールド枠１０５の内部に樹脂部材４０を充填する。樹脂部材４０は、例えば、熱硬化型のエポキシ樹脂である。樹脂部材４０は、例えば、真空成形を用いて形成される。
【００３３】
図５（ｂ）に示すように、モールド枠１０５を除去した後、樹脂部材４０の第２面４０ｂに支持部材１３０を貼り付ける。続いて、支持部材１１０および粘着層１０３を剥離し、樹脂部材４０の第１面４０ａを露出させる。支持部材１３０は、例えば、ウェーハ形状を有するセラミック板である。
【００３４】
図５（ｃ）に示すように、樹脂部材４０の第１面４０ａには、半導体チップ１０の表面１０ａおよびリードフレーム１２０の表面が露出される。
【００３５】
図６（ａ）〜（ｃ）は、図５（ｃ）に示す断面の一部に該当する部分断面図である。図６（ａ）〜（ｃ）は、半導体チップ１０とリードフレーム１２０とを電気的に接続する配線３３の形成過程を表している。
【００３６】
図６（ａ）に示すように、樹脂部材４０の第１面４０ａ上に絶縁膜１３５を形成する。絶縁膜１３５は、例えば、ポリイミド膜である。絶縁膜１３５は、半導体チップ１０の表面１０ａおよびリードフレーム１２０の表面を覆う。
【００３７】
続いて、絶縁膜１３５にコンタクトホールＣＨを形成する。コンタクトホールＣＨは、絶縁膜１３５の上面から半導体チップ１０およびリードフレーム１２０にそれぞれ連通するように形成される。
【００３８】
図６（ｂ）に示すように、配線３３を絶縁膜１３５上に形成する。配線３３は、例えば、メッキ法を用いて選択的に形成され、半導体チップ１０とリードフレーム１２０とを電気的に接続する。配線３３は、例えば、ニッケル（Ｎｉ）などのシード層上に金属層をメッキすることにより形成される。配線３３は、例えば、銅（Ｃｕ）もしくはアルミニウム（Ａｌ）などを含む。
【００３９】
図６（ｃ）に示すように、配線３３を覆うように、絶縁膜１３７を形成する。絶縁膜１３７は、例えば、ポリイミド膜である。絶縁膜１３５および絶縁膜１３７は、例えば、同じ材料を用いて形成され、一体化された絶縁体３５となる。
【００４０】
図７（ａ）〜（ｄ）は、図６（ｃ）に続く製造過程を順に表す模式断面図である。  
図７（ａ）に示すように、支持部材１３０を剥離し、樹脂部材４０の第２面４０ｂを露出させる。
【００４１】
続いて、図７（ｂ）に示すように、樹脂部材４０の第２面４０ｂ側を研磨し、薄層化する。これにより、半導体チップ１０の裏面１０ｂおよびリードフレーム１２０の表面を露出させる。
【００４２】
図７（ｃ）に示すように、リードフレーム１２０の一部を除去したダイシングラインＤＬ１を形成する（ハーフカットダイシング）。ダイシングラインＤＬ１は、枠部１２３（図３（ｂ）参照）に沿って形成される。ダイシングラインＤＬ１は、例えば、枠部１２３のＸ方向の幅よりも厚く、枠部１２３からＸ方向および−Ｘ方向に延びる端子１２５の先端間の距離（図３（ｂ）参照）よりも薄いブレードを用いて形成される。
【００４３】
図７（ｄ）に示すように、樹脂部材４０の第２面４０ｂに露出されたリードフレーム１２０の表面上に金属層２５を形成する。金属層２５は、ダイシングラインＤＬ１の内面も覆う。
【００４４】
金属層２５は、例えば、メッキ法を用いて形成される。金属層２５は、リードフレーム１２０の材料よりもハンダ材に対する濡れ性が高い材料、例えば、錫（Ｓｎ）、ニッケル（Ｎｉ）、パラジウム（Ｐｄ）、金（Ａｕ）などを用いて形成される。
【００４５】
図８（ａ）および（ｂ）は、図７（ｄ）に続く製造過程を表す模式断面図である。図８（ａ）および（ｂ）に示すように、リードフレーム１２０および絶縁体３５を切断するダイシングラインＤＬ２を形成する。
【００４６】
図８（ａ）に示すように、半導体チップ１０、ベース部材３０（図１（ａ）参照）および樹脂部材４０を含む構造体を、樹脂部材４０の第２面４０ｂを上に向けてダイシングシート１４０上に配置する。
【００４７】
続いて、リードフレーム１２０および絶縁体３５を切断し、構造体を半導体装置１に個片化する。リードフレーム１２０および絶縁体３５は、例えば、枠部１２３のＸ方向の幅よりも厚く、図７（ｃ）に示すハーフカットダイシングに用いたブレードよりも薄いブレードを用いて切断される（フルカットダイシング）。
【００４８】
図８（ｂ）に示すように、ダイシングラインＤＬ２は、リードフレーム１２０の枠部１２３（図３（ｂ）参照）に沿って形成される。これにより、枠部１２３は除去され、端子１２５は、接続端子２０の心材２３（図１（ａ）参照）として樹脂部材４０の内部に残る。
【００４９】
図９（ａ）〜（ｃ）は、第１実施形態の変形例に係る半導体装置３〜５を示す模式断面図である。図９（ａ）〜（ｃ）は、図１（ａ）に該当する断面を表す模式図である。
【００５０】
図９（ａ）に示す半導体装置３は、半導体チップ１０の裏面１０ｂ上に設けられた金属層１５を有する。金属層１５は、例えば、図６（ｄ）に示す工程において、金属層２５と共に形成される。金属層１５は、例えば、ハンダ材に対する濡れ性の高い材料を含む。
【００５１】
半導体装置３は、半導体チップ１０の裏面１０ｂが、例えば、実装基板のマウントパッド（ＧＮＤプレーン）に接続されるように実装される。これにより、半導体チップ１０で生じる熱の放散を向上させることができる。
【００５２】
図９（ｂ）に示す半導体装置４は、接続端子２０の第１コンタクト面２０ａと第２コンタクト面２０ｂとが交差する部分に切り欠き部２０ｃを有しない。このため、半導体装置４では、その製造過程を簡略化できる（図１０（ａ）および（ｂ）参照）。
【００５３】
図９（ｃ）に示す半導体装置５では、ベース部材３０は、配線３３、絶縁体３５および金属層３７を含むように形成される。金属層３７は、絶縁体３５上に設けられる。絶縁体３５の金属層３７に接する面は、半導体チップ１０の表面１０ａに接する面の反対側に位置する。
【００５４】
金属層３７は、例えば、絶縁体３５の表面全体を覆うように設けられ、半導体装置５の上方から照射される光や電磁波を遮蔽する。これにより、半導体チップ１０の誤動作を防ぐことができる。
【００５５】
図１０（ａ）および（ｂ）は、第１実施形態の変形例に係る半導体装置４の製造過程を示す模式断面図である。図１０（ａ）および（ｂ）は、図７（ｂ）に示す工程に続く製造過程を表している。半導体チップ１０、リードフレーム１２０およびベース部材３０を含む構造体は、例えば、ダイシングシート１５０の上に配置される。
【００５６】
図１０（ａ）に示すように、樹脂部材４０の第２面４０ｂに露出されたリードフレーム１２０および絶縁体３５を分断するダイシングラインＤＬ１を形成する。ダイシングラインＤＬ１は、リードフレーム１２０の枠部１２３（図３（ｂ）参照）に沿って形成される。
【００５７】
ダイシングラインＤＬ１は、例えば、枠部１２３のＸ方向の幅よりも厚く、枠部１２３からＸ方向および−Ｘ方向に延びる端子１２５の先端間の距離（図３（ｂ）参照）よりも薄いブレードを用いて形成される。これにより、リードフレーム１２０は、接続端子２０の心材２３となる端子１２５を樹脂部材４０の内部に残してフルカットされる。
【００５８】
図１０（ｂ）に示すように、樹脂部材４０の表面に露出された心材２３の上に金属層２５を形成する。金属層２５は、例えばメッキ法を用いて形成される。金属層２５は、リードフレーム１２０の材料よりもハンダ材に対する濡れ性の高い材料を含む。
【００５９】
このように、半導体装置４は、１回のダイシングにより形成できる。このため、製造過程が簡略化され、製造コストを低減することができる。
【００６０】
（第２実施形態）
図１１（ａ）〜（ｃ）は、第２実施形態に係る半導体装置６〜８を示す模式断面図である。図１１（ａ）〜（ｃ）は、図１（ａ）に該当する断面を表す模式図である。半導体装置６〜８は、例えば、ベース部材３０が実装基板に向き合うようにボンディングされ、半導体チップ１０の裏面１０ｂが上方に向くように配置される。
【００６１】
図１１（ａ）に示す半導体装置６では、接続端子２０は、第１コンタクト面２０ｄと、第２コンタクト面２０ｅと、を有する。第１コンタクト面２０ｄは、樹脂部材４０の第１面４０ａに露出される。第２コンタクト面２０ｅは、樹脂部材４０の側面４０ｃ（図１（ｂ）参照）に露出される。第２コンタクト面２０ｅは、第１コンタクト面２０ｄにつながるように設けられる。接続端子２０は、第１コンタクト面２０ｄと第２コンタクト面２０ｅが交差する部分に切り欠き部２０ｃを有する。
【００６２】
図１１（ｂ）に示す半導体装置７は、接続端子２０の第１コンタクト面２０ｄと第２コンタクト面２０ｅとが交差する部分に切り欠き部２０ｃを有しない。このため、半導体装置７は、半導体装置６よりも簡略化された製造過程により製作することができる。
【００６３】
図１１（ｃ）に示す半導体装置８では、樹脂部材４０は、半導体チップ１０の裏面１０ｂを覆うように設けられる。また、樹脂部材４０は、接続端子２０における第１コンタクト面２０ｄの反対側に位置する表面を覆うように設けられる。これにより、半導体チップ１０を樹脂パッケージ内に封じることができる。また、樹脂部材４０に、遮光性を有する材料を用いれば、半導体チップ１０に裏面１０ｂ側から入射する光を遮り、その誤動作を防ぐことができる。
【００６４】
次に、図１２および図１３を参照して、第２実施形態に係る半導体装置６の製造方法を説明する。図１２（ａ）〜図１３（ｃ）は、図６（ｃ）に示す工程に続く製造過程を順に示す模式断面図である。
【００６５】
図１２（ａ）に示すように、絶縁体３５を選択的に除去し、ダイシングスペースＤＳを形成する。ダイシングスペースＤＳは、リードフレーム１２０の枠部１２３（図３（ｂ）参照）に沿って形成される。ダイシングスペースＤＳの底面には、枠部１２３が露出される。
【００６６】
図１２（ｂ）に示すように、リードフレーム１２０の一部を除去したダイシングラインＤＬ１を形成する（ハーフカットダイシング）。ダイシングラインＤＬ１は、枠部１２３に沿って形成される。ダイシングラインＤＬ１は、例えば、枠部１２３のＸ方向の幅よりも厚く、枠部１２３からＸ方向および−Ｘ方向に延びる端子１２５の先端間の距離（図３（ｂ）参照）よりも薄いブレードを用いて形成される。
【００６７】
図１２（ｃ）に示すように、ダイシングスペースＤＳに露出されたリードフレーム１２０の表面上に金属層２５を形成する。金属層２５は、ダイシングラインＤＬ１の内面も覆う。
【００６８】
図１３（ａ）に示すように、半導体チップ１０、リードフレーム１２０およびベース部材３０を含む構造体を、例えば、ダイシングシート１６０の上に配置する。その後、支持部材１３０を剥離し、樹脂部材４０の第２面４０ｂを露出させる。
【００６９】
図１３（ｂ）に示すように、樹脂部材４０の第２面４０ｂ側を研磨し、半導体チップ１０の裏面１０ｂおよびリードフレーム１２０の表面が露出されるように薄層化する。
【００７０】
図１３（ｃ）に示すように、リードフレーム１２０を切断するようにダイシングラインＤＬ２を形成する。ダイシングラインＤＬ２は、例えば、枠部１２３のＸ方向の幅よりも厚く、図１２（ｂ）に示すハーフカットダイシングに用いたブレードよりも薄いブレードを用いて形成される。これにより、リードフレーム１２０は、樹脂部材４０の内部に心材２３となる端子１２５を残して分断される。
【００７１】
なお、図１３（ｂ）に示す樹脂部材４０の薄層化工程において、半導体チップ１０の裏面１０ｂ上に樹脂部材４０の一部を残すことにより、半導体装置８を形成することができる。
【００７２】
図１４（ａ）〜図１５（ｂ）は、第２実施形態に係る半導体装置７の製造過程を示す模式断面図である。図１４（ａ）〜図１５（ｂ）は、図１２（ａ）に示す工程に続く製造過程を順に示す模式断面図である。
【００７３】
図１４（ａ）に示すように、ダイシングラインＤＬ１をダイシングスペースＤＳに形成し、リードフレーム１２０をフルカットする。ダイシングラインＤＬ１は、例えば、枠部１２３のＸ方向の幅よりも厚く、枠部１２３からＸ方向および−Ｘ方向に延びる端子１２５の先端間の距離よりも薄いブレードを用いて形成される。これにより、樹脂部材４０中に端子１２５を残して、枠部１２３を除去することができる。樹脂部材４０中に残された端子１２５は、接続端子２０の心材２３となる。
【００７４】
図１４（ｂ）に示すように、ダイシングスペースＤＳに露出された心材２３の表面上に金属層２５を形成する。金属層２５は、ダイシングラインＤＬ１内に露出された心材２３の表面上にも形成される。
【００７５】
図１５（ａ）に示すように、半導体チップ１０、リードフレーム１２０およびベース部材３０を含む構造体を、ダイシングシート１６０の上に配置する。その後、支持部材１３０を剥離し、樹脂部材４０の第２面４０ｂを露出させる。
【００７６】
図１５（ｂ）に示すように、樹脂部材４０の第２面４０ｂ側を研磨し、薄層化する。これにより、半導体チップ１０、リードフレーム１２０およびベース部材３０を含む構造体は、複数の半導体装置７に個片化される。
【００７７】
このように、半導体装置７は、１回のダイシングにより形成されるため、その製造過程を簡略化することができる。
【００７８】
図１６は、実施形態の変形例に係る半導体装置９を示す模式断面図である。図１６は、図１（ａ）に該当する断面を表す模式図である。
【００７９】
半導体装置９では、ベース部材３０の下面上に複数の半導体チップ１０が配置される。接続端子２０は、樹脂部材４０の外縁に沿って、複数の半導体チップ１０を囲むように配置される。また、半導体装置１、３〜８も同様に、２以上の半導体チップを含んでも良い。
【００８０】
また、図１７は、実施形態の変形例に係る半導体装置の実装方法を示す模式断面図である。図１７に示す例では、２つの半導体装置６が、実装基板１７０の上に積層されている。このような実装は、半導体装置６に代えて、半導体装置１、３〜８のいずれを用いても実施可能である。また、それらの組合せでも良い。
【００８１】
実装基板１７０の上面に設けられたボンディングパッド１７３と半導体装置６は、例えば、ハンダ材１７５により接続される。ハンダ材１７５は、積層された半導体装置６の２つの接続端子２０とボンディングパッド１７３を接続する。この際、ハンダ材１７５が、接続端子２０の第２コンタクト面２０ｅ（図６（ａ）参照）を這い上がり、フィレット１７５ｆが形成される。このフィレット１７５ｆにより、実装後の検査を容易に実施できる。
【００８２】
また、下段に位置する半導体装置６のベース部材３０を、接続部材１７９を介してマウントパッド１７７に接続しても良い。ベース部材３０と接続部材１７９との間には、例えば、図示しない金属層３７（図９（ｃ）参照）を配置する。これにより、半導体装置６から実装基板１７０への放熱性を向上させることができる。
【００８３】
以上、第１実施形態および第２実施形態に係る半導体装置１、３〜９を説明したが、実施形態は、これらに限定される訳ではない。また、半導体装置１、３〜９の構成の細部は、技術的に可能であれば、相互に適用されるものである。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
１〜９…半導体装置、  １０…半導体チップ、  １０ａ…表面、  １０ｂ…裏面、  １５、２５、３７…金属層、  ２０…接続端子、  ２０ａ、２０ｄ…第１コンタクト面、  ２０ｂ、２０ｅ…第２コンタクト面、  ２０ｃ…切り欠き部、  ２３…心材、  ３０…ベース部材、  ３３…配線、  ３５…絶縁体、  ３９…ボンディングパッド、  ４０…樹脂部材、  ４０ａ…第１面、  ４０ｂ…第２面、  ４０ｃ…側面、  １０３…粘着層、  １０５…モールド枠、  １１０、１３０…支持部材、  １２０…リードフレーム、  １２３…枠部、  １２５…端子、  １３５、１３７…絶縁膜、  １４０、１５０、１６０…ダイシングシート、  １７０、２１０、２２０…実装基板、  １７３…ボンディングパッド、  １７５…ハンダ材、  １７５ｆ、２０５ｆ…フィレット、  ２０３、２１３…接続パッド、  ２０５…接続部材、  ２１５…ハンダホール、  ＣＨ…コンタクトホール、  ＤＬ１、ＤＬ２…ダイシングライン、  ＤＳ…ダイシングスペース
【図１】
2020043236.tif 000003
【図２】
2020043236.tif 000004
【図３】
2020043236.tif 000005
【図４】
2020043236.tif 000006
【図５】
2020043236.tif 000007
【図６】
2020043236.tif 000008
【図７】
2020043236.tif 000009
【図８】
2020043236.tif 000010
【図９】
2020043236.tif 000011
【図１０】
2020043236.tif 000012
【図１１】
2020043236.tif 000013
【図１２】
2020043236.tif 000014
【図１３】
2020043236.tif 000015
【図１４】
2020043236.tif 000016
【図１５】
2020043236.tif 000017
【図１６】
2020043236.tif 000018
【図１７】
2020043236.tif 000019